(57)【要約】【課題】衛生的で水切りも容易であり、生ゴミと共に捨てることができる環境に優しい紙製水切り容器を提供することにある。【解決手段】この発明は、筒状の側壁面２の下端を脚部４とし底壁面５を中空位置に保持した紙製容器の外表面１Ａまたは内表面１Ｂがプラスチックフィルムでラミネートされた紙製水切り容器１であって、前記側壁面２または底壁面５に、スリットまたは所望形状の開口からなる水抜部６が穿設されている。前記水抜部６に代えてミシン目やハーフカットの切れ目などからなるガイド線７を設け、使用者の望む位置に水抜部を形成するようにしてもよい。【選択図】図１
2005320089.tif 000002
【特許請求の範囲】
【請求項１】
筒状の側壁面の下端を脚部とし底壁面を中空位置に保持した紙製容器の外表面または内表面がプラスチックフィルムでラミネートされた紙製水切り容器であって、
前記側壁面または底壁面に、スリットまたは所望形状の開口からなる水抜部が穿設されていることを特徴とする紙製水切り容器。
【請求項２】
側壁面の下端を脚部とし、底壁面を中空位置に保持した紙製容器の外表面または内表面がプラスチックフィルムでラミネートされた紙製水切り容器であって、
前記側壁面または底壁面に、スリットまたは所望形状の開口からなる水抜部を形成するためのミシン目やハーフカットの切れ目などからなるガイド線が形成されており、ユーザーが任意の位置に水抜孔を配置しうることを特徴とする紙製水切り容器。
【請求項３】
側壁面の下端を脚部とし、底壁面を中空位置に保持した紙製容器の外表面または内表面がプラスチックフィルムでラミネートされた紙製水切り容器であって、前記側壁面または底壁面に、スリットまたは所望形状の開口からなる水抜部と水抜部を形成するためのミシン目やハーフカットの切れ目などからなるガイド線とが形成されていることを特徴とする紙製水切り容器。
【請求項４】
紙製容器の外表面または内表面が印刷表示部となっていることを特徴とする請求項１から３のいずれかに記載の紙製水切り容器。
【請求項５】
水抜部の開口縁部がケバ立つように形成されており、ゴミ等が絡みやすくなっていることを特徴とする請求項１から３に記載の紙製水切り容器。
【発明の詳細な説明】
【技術分野】
【０００１】
本発明は、使い捨てにすることができる紙製水切り容器に関するものである。
【背景技術】
【０００２】
従来、台所のゴミを収集し水切りするには、多数の透水孔が設けられたプラスチック製や金属製の三角コーナーや、排水口に設けられたストレーナなどが用いられている。
また、これらや専用のホルダーに不織布やネットからなる袋を掛け止めて使用している。
しかし、前記三角コーナーやストレーナは、デザインや外観等が単調であり、またカビなどが発生・付着しやすく、不衛生であるので、清潔さを保つためにこまめな掃除が必要となる。
更に、三角コーナーやストレーナから生ゴミなどを捨てる際には、ゴミ袋に入れるまで手間がかかっている。
そこで、上記手間を省くために前記不織布やネットの袋を掛け止めているが、収納物が重くなると外れてしまうという不具合がある。
一方、特開２００３−２１２３０２号には、紙でできた使い捨てのできる三角コーナーが開示されているが、折畳式にするため底面にのみ水切り穴を設けており、またその底面は三角コーナーの最下面に設定されており中空位置には保持されていないので、シンクの底面が上記三角コーナーの水切り穴を塞いでしまって水切りができにくく、水切りのためには三角コーナーをその都度上に持ち上げなければならないという欠点がある。
【特許文献１】特開２００３−２１２３０２号  図１参照
【発明の開示】
【発明が解決しようとする課題】
【０００３】
この発明の解決しようとする問題点は、衛生的で水切りも容易であり、生ゴミと共に捨てることができる環境に優しい紙製水切り容器を提供することにある。
【課題を解決するための手段】
【０００４】
上記課題を達成するために、請求項１の発明では、
筒状の側壁面の下端を脚部とし底壁面を中空位置に保持した紙製容器の外表面または内表面がプラスチックフィルムでラミネートされた紙製水切り容器であって、
前記側壁面または底壁面に、スリットまたは所望形状の開口からなる水抜部が穿設されていることを特徴とする。
請求項２の発明では、
前記側壁面の下端を脚部とし、底壁面を中空位置に保持した紙製容器の外表面または内表面がプラスチックフィルムでラミネートされた紙製水切り容器であって、
前記側壁面または底壁面に、スリットまたは所望形状の開口からなる水抜部を形成するためのミシン目やハーフカットの切れ目などからなるガイド線が形成されており、ユーザーが任意の位置に水抜孔を配置しうることを特徴とする。
更に、請求項３の発明では、
前記側壁面の下端を脚部とし、底壁面を中空位置に保持した紙製容器の外表面または内表面がプラスチックフィルムでラミネートされた紙製水切り容器であって、前記側壁面または底壁面に、スリットまたは所望形状の開口からなる水抜部と水抜部を形成するためのミシン目やハーフカットの切れ目などからなるガイド線とが形成されていることを特徴とする。
また、請求項４の発明では、
前記紙製容器の外表面または内表面が印刷表示部となっていることを特徴とする。
更に、請求項５の発明では、
前記水抜部の開口縁部がケバ立つように形成されており、ゴミ等が絡みやすくなっていることを特徴とする。
【発明の効果】
【０００５】
本発明の紙製水切り容器によれば、紙製であるので、廃棄に際しては燃えるゴミとして処理でき、また生ゴミを入れたままで一緒に廃棄することができる。また、紙の表面に印刷できるので、多彩な装飾や広告などを表示することができる。
容器の底面は側壁面の下端が脚部となって中空に保持されるので、設置面と前記容器底面との間に隙間が形成され、水切りが容易となる。
更に、使い捨て可能なので、手入れが不要であり、ネットを被せる必要もない。
また、水抜部を形成するためのガイド線を予め設けておけば、ユーザーは用途に合わせて上記ガイド線に沿って水抜部を所望の位置に形成することができるので、幅広い用途に対応することができ、利便性、汎用性が高い。
【発明を実施するための最良の形態】
【０００６】
以下にこの発明の紙製水切り容器の好適実施例について、図面を参照しながら説明する。
【実施例１】
【０００７】
図１および図２に示す紙製水切り容器１は、紙器用板紙を用いたものであって、その外表面１Ａおよび内表面１Ｂがポリエチレン等のプラスチックフィルムでラミネートされて防水処理されている。
防水加工は、容器１の外表面１Ａまたは内表面１Ｂのいずれか一方の面がプラスチックフィルムでラミネートされるものであってもよい。
【０００８】
この容器１は、側壁面（胴部）２が筒状に形成され、その上端は外向きのカール部３が形成されており、下端は脚部４となって、前記容器１の底壁面５を中空位置に保持している。
また、この容器１の形状は、上面が開口した有底の円筒状、円錐状、角筒状など所望の形状とすることができる。
【０００９】
この容器１の側壁面２と、底壁面５には多数の水抜部６が形成されている。
この水抜部６の形状は、同一の形状でも異なる形状であってもよく、またスリットでもよいし、所望形状の開口からなっていてもよい。
更に、水抜部６は側壁面２と、底壁面５とに設けたが、側壁面２または底壁面５のいずれか一方だけに設けるものでもよい。
【００１０】
底壁面５に設ける水抜部６は、例えば図２（ｂ）に例示するように、略等間隔で同一方向に並ぶように配置すれば、連続成形することができる。
また、底壁面５での水抜部６はスリット形状が好ましく、開口を大きくすると脆弱化しやすい。
このように水抜部６の数や形状、配置は、容器１の耐久性と関連するので、使用目的などに合わせて最適に設定することが好ましい。
【００１１】
水抜部６は、開口縁部となる切断面がケバ立つように形成することが好ましい。
そこで、例えば、鋭利でない刃で水抜部６を形成して切断面を毛羽立たせたり、後述のガイド線に沿って手や非鋭利な物で切断することで、毛羽立たせることができる。
これにより、毛羽だった繊維にゴミ等が絡みやすくなる。
【００１２】
この容器１は、ポリエチレンでラミネートされた板紙からなっているので、使用者は、カッターを用いるなどして後から任意の位置に水抜部６を形成してもよい。
また、容器１の側壁面２や、底壁面５の表裏は白色なので、側壁面２や底壁面５の任意の個所を印刷表示部１０とすることができ、該印刷表示部１０に印刷を施すことで、従来にない多彩な装飾や広告などを表示することが可能となる。
【実施例２】
【００１３】
図３は紙製水切り容器の異なる実施例を示す。
この紙製水切り容器１は、その側壁面２または底壁面５に、前記水抜部６を形成する際のガイドとなるガイド線７が予め形成された場合を示す。
このガイド線７としては、例えばミシン目やハーフカットの切れ目などからなっており、使用者が自己の用途に応じ、所望の位置にある前記ガイド線７を選択してガイド線に沿って切り取り、スリットや開口を形成しうるので、所望の位置に水抜部を形成することができるようになっている。
【００１４】
図３には、ガイド線７の一例を示しており、７ａはスリット形成用のガイド線、７ｂは、幅狭の長孔を形成するためのガイド線、７ｃは、一方向のガイド線を並列に並べて孔の幅の長さを複数（図示では２つ）の段階に広げることができるようにした調整可能なガイド線を例示している。
【００１５】
従って、水抜部６が、所望の個所、例えばシンクの排水口に近接する個所に配置するように、ガイド線７を選択して切り抜けばよく、用途に応じて水抜部６の高さや位置を最適位置に調整することができる。
その他の構成は、前記実施例と同様であるので、同一構成には同一符号を付してその説明を省略する。
【実施例３】
【００１６】
図４は、紙製水切り容器１の更に異なる実施例を示す。
この紙製水切り容器１は、予め固定された位置、例えば底壁面５に水抜部６を開口形成しておき、側壁面２には水抜部形成用のガイド線７だけを設けておき、ガイド線７を選択して切り抜いて、任意の位置に水抜部６を形成することができるような構成としている。
同じ側壁面２や底壁面５に、水抜部６とガイド線７を両方形成しておいてもよい。
【００１７】
これにより、水抜きの必要な共通する位置には予め水抜部６を開口形成しておき、その他の位置では任意に選択して所望の位置に水抜部を形成することができるようにガイド線７を形成している。
なお、図４（ｃ）は、底壁面５に形成した水抜部６を放射状に配置した異なる実施例であり、この実施例でも水抜部６の形状や配置は図示例に限定されるものではない。
その他の構成は、前記実施例と同様であるので、同一構成には同一符号を付してその説明を省略する。
【００１８】
上記各実施例では、シンクの隅に置いてゴミ入れとする場合を例示したが、その他、水切りカゴ（ザル）として用いたり、植物のポットなどとして用いることもできる。
また、例えば、図５に示すように水抜部の無いカップ状の容器１１内に、前記実施例の容器１を入れ子状に嵌め込み、内部に水を入れておくことで、例えば使用済みの花火１２を入れて消火させ、この容器１を引き上げることで水を切り、使用済み花火と共にゴミとして廃棄することができる。
また、実施例２のガイド線７のみを設けた容器１では、水抜部を開口せずに、容器１内に水を入れ、廃棄時にはガイド線７に沿って水抜部６を開口することで水を抜いて排水し、ゴミとして廃棄することもできる。
【００１９】
図６は、シンクの排水口に設けられたストレーナに嵌め込んでゴミ類の収納容器として使用する例を示す。
この場合、紙製水切り容器１をストレーナ内に嵌め込むものでもよいし、排水口の口縁にカール部などを掛止めて使用するものでもよい。
前者の場合、容器１はそのまま嵌め込むものでも、図示のように容器１に紙片や紐などで把手８を付けておき、その把手８を引っ張って持ち上げることができるようにしてもよい。
その他、要するにこの発明の要旨を変更しない範囲で種々設計変更しうること勿論である。
【産業上の利用可能性】
【００２０】
水切りや水抜きを行う必要のあるものを収納することができる、使い捨て可能な容器なので、水切りカゴや、ゴミ箱、植物用ポットなど種々の用途に用いることができる。
【図面の簡単な説明】
【００２１】
【図１】実施例１の紙製水切り容器の斜視図である。
【図２】図１の断面図である。
【図３】（ａ）は実施例２の紙製水切り容器の側面図、（ｂ）は底壁面の底面図である。
【図４】（ａ）は実施例３の紙製水切り容器の側面図、（ｂ）は底壁面の底面図、（ｃ）は底壁面の異なる水抜部のパターンを示す底面図である。
【図５】紙製水切り容器を使用済み花火の収納用に用いる例を示す断面図である。
【図６】紙製水切り容器をストレーナに用いる使用例を示す断面図である。
【符号の説明】
【００２２】
１    紙製水切り容器
２    側壁面
３    カール部
４    脚部
５    底壁面
６    水抜部
７    ガイド線
１０    印刷表示部
１１    容器
【図１】
2005320089.tif 000003
【図２】
2005320089.tif 000004
【図３】
2005320089.tif 000005
【図４】
2005320089.tif 000006
【図５】
2005320089.tif 000007
【図６】
2005320089.tif 000008